(57)【要約】      （修正有）【課題】容器の外側に本器具が接しないように支持することができ、且つ容器とその内容物の商品説明が一体となった美観を備え、容器の開口部から流れ落ちる液体を模した美観を奏する容器展示器具を提供する。【解決手段】本容器展示器具１は、強磁性体であり且つ開口部を備える容器８を展示するための容器展示器具であって、基台２と、基台に載置される装飾体３と、基台上に立設され且つ装飾体を貫通する支柱４と、支柱の上端側に設けられ、容器を支持する容器支持具と、基台の側辺に沿って設けられる壁部６１、６２と、を備え、支柱の上端側は斜め上方向に傾斜し、容器支持具は、支柱の上端側に固定され且つ磁石を備え、容器の開口部から内部に挿入され、磁石を容器の内面に接触させて磁力により容器を固定し、容器は、開口部が水平又は水平より下側に向くように支持されることを特徴とする。【選択図】図２
0003190720.tif 000002
【実用新案登録請求の範囲】
【請求項１】
強磁性体であり且つ開口部を備える容器を展示するための容器展示器具であって、
基台と、前記基台に載置される装飾体と、前記基台上に立設され且つ前記装飾体を貫通する支柱と、前記支柱の上端側に設けられ、前記容器を支持する容器支持具と、前記基台の側辺に沿って設けられる壁部と、を備え、
前記容器支持具は、前記支柱の前記上端側に固定され且つ磁石を備え、
前記容器支持具は、前記容器の前記開口部から内部に挿入され、前記磁石を前記容器の内面に接触させて磁力により前記容器を固定し、
前記容器は、前記開口部が水平又は水平より下方向に向くように支持されることを特徴とする容器展示器具。
【請求項２】
前記支柱は、前記開口部から流れ落ちる液体の形状を模している円柱形状であり、
前記装飾体は、周縁が前記基台上に溜まる液体の形状を模している不規則な曲線からなり、前記支柱により貫通される部位がなだらかに盛り上がるように形成されている請求項１記載の容器展示器具。
【請求項３】
前記支柱は、前記基台に対して回動可能に設けられている請求項１又は２に記載の容器展示器具。
【請求項４】
前記支柱の前記上端側は斜め上方向に傾斜し、
前記容器の前記開口部は、水平又は斜め下方向に向くように支持される請求項１乃至３のいずれか１項に記載の容器展示器具。
【請求項５】
前記基台は直方体形状であり、
前記壁部は、前記基台の隣り合う２つの側辺に沿って立設している請求項１乃至４のいずれか１項に記載の容器展示器具。
【請求項６】
前記壁部の少なくとも一方は、所定厚みを備える請求項５記載の容器展示器具。
【請求項７】
前記基台及び前記壁部は紙製、樹脂製又は木製である請求項５又は６記載の容器展示器具。
【請求項８】
前記容器は直方体形状又は円筒形状であり、天面に円形の前記開口部を備える請求項１乃至７のいずれか１項に記載の容器展示器具。
【考案の詳細な説明】
【技術分野】
【０００１】
本考案は開口部を備える容器を展示するための容器展示器具に関する。更に詳しくは、容器の外側に本器具が接しないように支持することができ、且つ容器とその内容物の商品説明が一体となった美観を備え、容器の開口部から流れ落ちる液体を模した美観を奏する容器展示器具に関する。
【背景技術】
【０００２】
商品等を展示したり、看板として使用したりするために基台に支柱を設け、支柱の頭部で商品等を支持する構成の展示器具がある（例えば、特許文献１を参照。）。特許文献１の展示装置は、基台に支柱等からなる支柱を設け、その頭部に商品展示台を設けた展示器具である。また、商品展示台は、平板に落下防止用の柵を設けることで、展示物を載置することができる。また、缶や樽等を載置するための脚が知られている（例えば、特許文献２を参照。）。特許文献２に記載された樽型容器の支持脚は、樽を横向きに載置するために樽の胴部を支える支持脚である。
また、容器と本器具が一体となった美観を備え、容器の開口部から流れ落ちる液体を模した美観を奏する容器展示器具がある（特許文献３を参照。）。特許文献３に記載された容器展示器具は、容器の開口部が水平又は水平より下側に向くように支持され、開口部から支柱が突出する構成を備えるため、支柱に容器の開口部から流れ落ちる液体を模した美観を奏することができる。
【先行技術文献】
【特許文献】
【０００３】
【特許文献１】実用新案登録３１６１７３６号公報
【特許文献２】特開平９−７５１８２号公報
【特許文献３】実用新案登録３１８００４５号公報
【考案の概要】
【考案が解決しようとする課題】
【０００４】
しかし、特許文献１及び特許文献２に記載されたような器具は、展示対象物の表面の一部が支持のために商品展示台により隠れてしまうため、見栄えに影響する。
また、特許文献３に示された容器展示器具は、展示対象物の全表面が容器展示器具により隠されることがない点で好ましいが、商品の説明を大きく記載して展示することが検討されていなかった。
本考案は、上記のような問題に鑑み、商品説明を伴って容器の外側に本器具が接しないように支持することができ、且つ容器とその内容物の商品説明が一体となった美観を備え、容器の開口部から流れ落ちる液体を模した美観を奏する容器展示器具に関する。
【課題を解決するための手段】
【０００５】
本考案は、以下の通りである。
１．強磁性体であり且つ開口部を備える容器を展示するための容器展示器具であって、基台と、前記基台に載置される装飾体と、前記基台上に立設され且つ前記装飾体を貫通する支柱と、前記支柱の上端側に設けられ、前記容器を支持する容器支持具と、前記基台の側辺に沿って設けられる壁部と、を備え、前記容器支持具は、前記支柱の前記上端側に固定され且つ磁石を備え、前記容器支持具は、前記容器の前記開口部から内部に挿入され、前記磁石を前記容器の内面に接触させて磁力により前記容器を固定し、前記容器は、前記開口部が水平又は水平より下方向に向くように支持されることを特徴とする容器展示器具。
２．前記支柱は、前記開口部から流れ落ちる液体の形状を模している円柱形状であり、前記装飾体は、周縁が前記基台上に溜まる液体の形状を模している不規則な曲線からなり、前記支柱により貫通される部位がなだらかに盛り上がるように形成されている前記１．記載の容器展示器具。
３．前記支柱は、前記基台に対して回動可能に設けられている前記１．又は前記２．に記載の容器展示器具。
４．前記支柱の前記上端側は斜め上方向に傾斜し、前記容器の前記開口部は、水平又は斜め下方向に向くように支持される前記１．乃至前記３．のいずれかに記載の容器展示器具。
５．前記基台は直方体形状であり、前記壁部は、前記基台の隣り合う２つの側辺に沿って立設している前記１．乃至前記４．のいずれかに記載の容器展示器具。
６．前記壁部の少なくとも一方は、所定厚みを備える前記５．記載の容器展示器具。
７．前記基台及び前記壁部は紙製、樹脂製又は木製である前記５．又は前記６．記載の容器展示器具。
８．前記容器は直方体形状又は円筒形状であり、天面に円形の前記開口部を備える前記１．乃至前記７．のいずれかに記載の容器展示器具。
【考案の効果】
【０００６】
本考案の容器展示器具によれば、基台と、基台に載置される装飾体と、基台上に立設され且つ装飾体を貫通する支柱と、支柱の上端側に設けられ、容器を支持する容器支持具と、基台の側辺に沿って設けられる壁部と、を備え、容器支持具は、支柱の上端側に固定され且つ磁石を備え、容器支持具は、容器の開口部から内部に挿入され、磁石を容器の内面に接触させて磁力により容器を固定する。このため、容器の表面が本容器展示器具によって隠されることがなく、且つ壁部に容器の内容物、又は容器そのもの等の説明を記載することができ、この説明を容器と共に見せることができるため、一体となった美観となり、展示器具として優れている。
また、容器は、開口部が水平又は水平より下方向に向くように支持され、開口部から支柱が突出する構成を備えるため、支柱及び装飾体が容器の開口部から流れ落ちる基台上に溜まる液体を模した美観を奏することができる。更に、容器支持具の磁石により容器を内面側から固定する構造であるため、容器支持具を容易に容器の開口部から出し入れすることができ、展示する容器の交換が容易にできる。
【０００７】
支柱は、開口部から流れ落ちる液体の形状を模している円柱形状であり、装飾体は、周縁が基台上に溜まる液体の形状を模している不規則な曲線からなり、支柱により貫通される部位がなだらかに盛り上がるように形成されている場合は、支柱の上端側を含む支柱と装飾体とが、展示する容器から流れ落ちて地面に溜まる流体の美観をより奏し、しかも容器を支える構成が直接見えない状態となるため、意外性が高く展示の効果を高めることができる。
支柱は、基台に対して回動可能に設けられている場合は、展示場所に合わせて容器の向きを変えることによって展示しやすくすることができる。また、容器が壁部に接触しないように向きを変えて脱着することができる。
支柱の上端側は斜め上方向に傾斜し、容器の開口部は、水平又は斜め下方向に向くように支持される場合は、開口部から流出する流体が次第に真下方向に向かって流れ落ちるように支柱が模することができ、より支柱が流体のように見えて優れた美観となる。
基台は直方体形状であり、壁部は、基台の隣り合う２つの側辺に沿って立設している場合は、容器を囲うように壁部が設けられ、容器とその内容物の商品説明が一体となった美観を備えるため、意外性が高く展示の効果を高めることができる。
壁部の少なくとも一方は、所定厚みを備える場合は、壁部が自重で折れにくくし、安定性を高めることができる。
基台及び壁部が紙製、樹脂製又は木製である場合は、容器展示器具を軽量にすることでき、搬送等の取扱いが容易である。
容器が直方体形状又は円筒形状であり、天面に円形の開口部を備える場合は、容器を傾けているために液体がこぼれているように見え、意外性が高く展示の効果を高めることができる。
【図面の簡単な説明】
【０００８】
【図１】容器展示器具を示す斜視図である。
【図２】容器を支持する容器展示器具を説明するための斜視図である。
【図３】容器展示器具を示す平面図である。
【図４】支柱のみを回動により変えた容器展示器具を示す平面図である。
【図５】容器を支持する容器展示器具の容器支持具を説明するための斜視図である。
【図６】複数の容器展示器具を配置した状態を示す斜視図である。
【図７】上端側が鉛直である支柱を備える容器展示器具により容器を支持した状態を示す斜視図である。
【考案を実施するための形態】
【０００９】
以下、図を参照しながら本容器展示器具を詳しく説明する。
ここで示される事項は例示的なもの及び本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
本容器展示器具は、流体である内容物を排出する開口部を備える容器を展示するための器具である。図１に示すように容器展示器具１は、基台２と、基台２に載置される装飾体３と、基台２上に立設される支柱４と、支柱４の上端側４１に設けられ、容器を支持する容器支持具５と、基台２の側辺に沿って設けられる壁部６を備える。
本容器展示器具１は、図２に示すように、容器８をその開口部８１が水平又は水平より下方向に向くように支持することができ、支柱４及び装飾体３が開口部８１より流れ落ちて地面に溜まる流体を模している美観を奏する。尚、「水平より下方向に向く」とは、図２に例示するように、容器８の開口部８１が斜め下方向に向く状態や、図７に例示するように容器８の開口部８１が真下方向に向く状態が含まれる。
【００１０】
本容器展示器具１で展示する容器８は、液体等の流体を入れる容器、又はその容器を模した容器であり、例えば自動車エンジンオイル等のオイルを入れるオイル缶を模した缶を挙げることができる。このほか、洗剤、塗料、食用油等の任意の液体を入れた缶の展示に用いることができる。更にガソリンエンジン、ディーゼルエンジン、オイルパン等、流体を利用し、開口部からその流体を出し入れすることができる機器の模型を本容器展示器具で展示する容器として用いることができる。
また、本容器展示器具１で展示する容器８は、通常は開口部８１がキャップ（図示せず）によって封じられているが、中身を空にした状態として、開口部８１が開口した状態で支持する。このように支持することで、支柱４が開口部８１から液体が流れ落ちる様子を模することができる。
容器８の形状は、任意に選択することができ、一般的なオイル缶等の形状である略直方体形状の角缶や円筒形状の缶を挙げることができる。また、他の形状でもかまわない。更に、容器８の開口部８１は通常円形であるがこれに限られない。また、開口部８１は通常容器８の天面８２に設けられるが、これに限られず、周面８３に設けられていてもよいし、底面８４に設けられていてもよい。本例においては、天面８２の一端側に寄せて設けられている円形の開口部８１を天面に備える直方体形状のオイル缶により説明する。
容器８は鉄鋼等の強磁性体であり、内面に磁石を磁力により固定することができる。尚、容器８が樹脂製や紙製等の強磁性体でない材質である場合は、容器８内に鉄板等を貼り付けてこれに磁石を固定することができる。
容器８の表面は、通常内容物に関する記載がされるがこれに限られず、無地であってもよいし、容器そのものの説明や宣伝文等の任意の内容を記載しても良い。また、ガソリンエンジン、ディーゼルエンジン等の内容物を使用する対象となる機器の図を記載しても良い。
【００１１】
基台２は、装飾体３、支柱４、容器支持具５、壁部６及び容器８を支えるための台である。基台２の材質は特に問わず例えば紙製、樹脂製又は木製等とすることができる。また、鉄鋼等の金属で作製しても良い。これらのうち紙製とすると軽量となって取り扱いやすくなるため好ましい。基台２の形状は特に問わないが例えば図１に示す直方体形状の箱体とすることができる。また、平面形状が円形（扇形、楕円、半円等も含む。）の円筒形状としても良い。基台２の厚みは適宜選択される。
【００１２】
装飾体３は、基台２に載置されている。また、装飾体３は図１、３及び４に示すように、容器８内に通常収容される液体が基台２上に溜まった状態に似せて模した形状であり、周縁が不規則な曲線からなる板状体であり、支柱４が貫通する部位がなだらかに盛り上がっている。また、装飾体３の色は容器８内に通常収容される液体を模した色である。このような装飾体は、通常樹脂により構成することができる。
【００１３】
支柱４は、基台２の任意の位置に立設されて、容器支持具５を介して容器８を支える柱である。支柱４の材質は特に問わず、例えば、金属、樹脂、木等を挙げることができる。
支柱４は容器８の開口部から流れ落ちつつある液体を模しており、装飾体３と同様に、液体を模した形状となる円柱形（円筒形も含む）とすることができる。また、支柱４の色は通常装飾体３と同じ色である。尚、支柱４は円筒形であっても良い。
このような支柱４は、装飾体３を貫通し、装飾体３及び支柱４が一体となって流れ落ちる液体を模することができる。尚、装飾体３を貫通する場所は特に問わず、図３に示すように装飾体３の略平面上の中央であってもよいし、基台２の任意の辺に寄せて設けてもよい。
更に、図１に例示するように、容器８の開口部８１付近に位置する上端側４１が斜め上方向に傾斜した形状としてもよい。上端側４１が斜め上方向に傾斜することで、開口部８１から流出する流体が次第に真下方向に向かって流れ落ちるように模することができ、より支柱４が流体のように見えて優れた美観となる。
また、支柱は図３及び図４に示すように、下端側４２の軸を中心として回動可能にすることができる。回動することによって容器支持具５の向きが変わるため、支持している容器８の向きも共に変えることができ、本容器展示器具１の展示場所に合わせて容器８の向きを変えることによって展示しやすくすることができる。更に、容器８が壁部６に接触しないように向きを変えて脱着することができる。
【００１４】
容器支持具５は、支柱４の上端側４１に設けられている。容器支持具５は、容器８内に収まる大きさの棒材５１と、棒材５１の先端に設けられた磁石５２とを備える。棒材５１及び磁石５２は、容器８の開口部８１から容器８内に挿入される。また、挿入された磁石５２は、容器８の内面に接触させて磁力により固定することによって容器８を支持する。尚、容器支持具５は、棒材５１の部位がなく磁石５２のみであっても良い。
磁石５２を容器８に接触させる位置は容器８の内面であれば良く、容器８の大きさ及び形状に合わせて、底面、側面、天面等と適宜選択される。好ましくは容器８の開口部８１に対して対角に近い位置とすることができる。この対角となる位置は、図５に示すように容器８の開口部８１が天面８２に設けられている場合は、容器８の底面８４が対角に近い位置となり、がたつきが起きないように支持することができる。また、磁石５２の形状は、例えば図１及び図５に示す円板形状を挙げるが特に問わず、角形等の形状であっても良い。更に磁石５２の大きさも、開口部８１から磁石５２を出し入れすることができる大きさであれば特に問わない。
【００１５】
壁部６は、図１に示す壁部６１、６２に示すように、基台２の側辺に沿って少なくとも１つ設けられる容器の内容物、又は容器そのものの説明を記載するための箱体又は平板である。壁部６の材質は基台２の材質と同様に任意に選択でき、紙製、樹脂製又は木製等を挙げることができる。また、通常紙製とするのが好ましい。壁部６１、６２の面の形状は通常長方形であるが、これに限られず展示内容に応じて台形、三角形状、扇形等の任意の形状を選択することができる。また、壁部６は少なくとも１つを直方体等の箱体とすることで、所定厚さを備える箱体とすることにより、特に壁部が紙製の場合において壁部が自重で折れにくくし、安定性を高めることができる。この所定厚さは、壁部の強度に応じて適宜選択される。壁部６を配置する場所は基台２の側辺であればよい。
このような壁部６は、例えば図１に示すように、基台２の隣り合う２つ側辺にそれぞれ一つずつ設けることが好ましい。また、設けた２つの壁部の一方６１を平板状とし、他方６２を直方体形状の箱体とすることが好ましい。
尚、壁部６の配置は、この配置に限られず１箇所のみに設けてもよいし、３箇所に設けてもよい。更に、側辺の全体に設けるに限られず、部分的に設けられていてもよい。
【００１６】
このような容器展示器具１は、図５に示すように、鉄製の容器８の開口部８１から容器支持具５を挿入し、磁石５２を容器８の底面に接触させて固定することで、図２及び図３に示すように、支柱４と装飾体３とが、展示する容器８から流れ落ちて地面に溜まる流体の形状及び色の美観を奏し、しかも容器８を支える物体がない状態に見えるため、意外性が高く展示の効果を高めることができる。また、容器８の表面が本容器展示器具１によって隠されることがなく、且つ壁部６１、６２に記載した説明が容器８と共に見えるため、一体となった美観となり、容器８の展示器具として優れている。
更に、容器支持具５を容易に容器８の開口部８１から出し入れし、磁石５２により固定しているため容器８の脱着が可能であり、展示する容器８の交換を容易に行うことができる。
【００１７】
本容器展示器具１は、複数配置して使用することができる。例えば図６に示すように、２つの容器展示器具１ａ、１ｂを横に並べた状態で配置することができる。これら容器展示器具１ａ、１ｂは、隣り合う壁部の一方６１ａ、６２ｂがそれぞれ展示方向の奥側（図６における奥側）となり、且つ各基台２ａ、２ｂの壁部が設けられていない側辺２１ａ、２２ｂが対向するように並べる。更に、側辺２１ａ、２２ｂの奥側２３ａ、２３ｂを互いに接触させ、且つ側辺２１ａ、２２ｂの手前２４ａ、２４ｂ側が離間するように配置する、即ち側辺２１ａ、２２ｂが鋭角Ｒとなる角度とすることで、４つの壁部６２ａ、６１ａ、６２ｂ、６２ｂの順に連なった屏風状に配置している。
このような配置として２つの本容器展示器具１ａ、１ｂを配置すると全体として一体感がある美観とすることができる。更に、一方の本容器展示器具１（１ａ、１ｂのどちらでもよい）の装飾体３及び支柱４を未使用時のオイルの色とし、他方の本容器展示器具１の装飾体３及び支柱４を長期使用して黒ずんだオイルとすることで、２種類のオイルを対比した展示を行うことができる。
【００１８】
他の態様の容器展示器具１ｃを図７に示す。図７に示す容器展示器具１ｃは、支柱４ｃの上端側４１ｃが鉛直方向であり、支柱４ｃ全体が直線状である以外は、図１、２に示す容器展示器具１と同じ構成である。このような容器展示器具１ｃは、容器８の下側に位置する開口部８１から、流体が真下方向に流れる様子を模した美観となる。更に、容器８をオイル交換のためのドレン口を備えたガソリンエンジン等の模型としたり、容器８にガソリンエンジン等の図を記載したりすることによって、容器８をガソリンエンジン等と見なした展示を行うことができる。そして開口部８１をドレン口と見なして、開口部８１からオイルを排出する展示とすることができる。
【００１９】
尚、本考案においては、以上に示した実施形態に限られず、目的、用途に応じて本考案の範囲内で種々変更した態様とすることができる。例えば、本実施例では容器の内容物についての展示器具としており、壁部に容器の内容物の商品説明を記載しているがこれに限られず、壁部に容器そのものの商品説明を記載して展示しても良い。また、支柱４は上端側４１のみが斜め上方向に傾斜する直線形状に限られず、全体がなだらかに傾斜する放物線形状としてもよい。このような支柱４は、斜め方向に流れ落ちる液体の形状を模したものとすることができる。更に、本容器展示器具は、液体用容器の容器展示器具であるが、これに限られず粉体用の容器の容器展示器具として用いてもよい。粉体であっても容器から流れ落ちる様子が液体と同様に見える場合は、本容器展示器具により展示効果を高めることができる。
【００２０】
また、容器８、装飾体３又は支柱４に広告媒体を貼付することができる。この広告媒体は磁石又は粘着剤等により貼付されており、展示する容器８の広告を効果的に行うことができる。
【符号の説明】
【００２１】
１、１ａ、１ｂ、１ｃ；容器展示器具、２；基台、３；装飾体、４、４ｃ；支柱、４１；上端側、５；容器支持具、５２；磁石、６、６１、６２；壁部、８；容器、８１；開口部、８２；天面、８３；周面、８４；底面。
【図１】
0003190720.tif 000003
【図２】
0003190720.tif 000004
【図３】
0003190720.tif 000005
【図４】
0003190720.tif 000006
【図５】
0003190720.tif 000007
【図６】
0003190720.tif 000008
【図７】
0003190720.tif 000009